(57)【要約】【課題】視機能を客観的に評価することが可能な視機能評価装置を提供する。【解決手段】視機能評価装置１は、色覚評価、視力評価、コントラスト感度評価、明度感覚評価のうちの１つを評価項目として選択する選択部１０と、当該選択部１０により選択された評価項目に応じたパターンを表示画面Ｇに表示する第１表示と評価項目に応じた第１表示のパターンと異なるパターンを表示画面Ｇに表示する第２表示とを交互に行う表示制御部２０と、表示画面Ｇを見たユーザ３の脳波を、ユーザ３の頭部に付設した検出電極６０により電気信号として取得する脳波信号取得部３０と、当該脳波信号取得部３０により取得された電気信号を周波数解析により解析する解析部４０と、当該解析部４０による解析結果に基づいてユーザ３における選択された評価項目についての視機能を評価する評価部５０と、を備える。【選択図】図１
2019017853.tif 000002
【特許請求の範囲】
【請求項１】
色覚評価、視力評価、コントラスト感度評価、明度感覚評価のうちの１つを評価項目として選択する選択部と、
前記選択部により選択された評価項目に応じたパターンを表示画面に表示する第１表示と前記評価項目に応じた前記第１表示の前記パターンと異なるパターンを表示画面に表示する第２表示とを交互に行う表示制御部と、
前記表示画面を見たユーザの脳波を、前記ユーザの頭部に付設した検出電極により電気信号として取得する脳波信号取得部と、
前記脳波信号取得部により取得された電気信号を周波数解析により解析する解析部と、
前記解析部による解析結果に基づいて前記ユーザにおける選択された前記評価項目についての視機能を評価する評価部と、
を備える視機能評価装置。
【請求項２】
前記色覚評価に応じた第１表示は、灰色基調の第１パターンと前記第１パターンとは異なる灰色基調の第２パターンとを前記表示画面に繰り返し表示する表示からなり、
前記色覚評価に応じた第２表示は、赤色の第３パターンと緑色の第４パターンとを前記表示画面に繰り返し表示する表示と、青色の第３パターンと黄色の第４パターンとを前記表示画面に繰り返し表示する表示とからなる請求項１に記載の視機能評価装置。
【請求項３】
前記視力評価に応じた第１表示は、黒色及び白色が縞状に並んだ第１パターンと前記第１パターンの黒色及び白色を互いに反転させた第２パターンとを前記表示画面に繰り返し表示する表示からなり、
前記視力評価に応じた第２表示は、赤色及び緑色が縞状に並んだ第３パターンと前記第３パターンの赤色及び緑色を互いに反転させた第４パターンとを前記表示画面に繰り返し表示する表示と、青色及び黄色が縞状に並んだ第３パターンと前記第３パターンの青色及び黄色を互いに反転させた第４パターンとを前記表示画面に繰り返し表示する表示とからなり、
前記評価項目として前記視力評価が選択された場合、前記表示制御部は、互いに等しい所定の幅の縞のパターンからなる一連の前記第１表示及び前記第２表示を行った後、前記所定の幅とは異なる幅のパターンからなる一連の前記第１表示及び前記第２表示を行う請求項１又は２に記載の視機能評価装置。
【請求項４】
前記コントラスト感度評価に応じた第１表示は、黒色及び白色が縞状に並んだ第１パターンと前記第１パターンの黒色及び白色を互いに反転させた第２パターンとを前記表示画面に繰り返し表示する表示からなり、
前記コントラスト感度評価に応じた第２表示は、赤色及び緑色が縞状に並んだ第３パターンと前記第３パターンの赤色及び緑色を互いに反転させた第４パターンとを前記表示画面に繰り返し表示する表示と、青色及び黄色が縞状に並んだ第３パターンと前記第３パターンの青色及び黄色を互いに反転させた第４パターンとを前記表示画面に繰り返し表示する表示とからなり、
前記評価項目として前記コントラスト感度評価が選択された場合、前記表示制御部は、互いに等しい所定のコントラストからなる一連の前記第１表示及び前記第２表示を行った後、前記所定のコントラストとは異なるコントラストからなる一連の前記第１表示及び前記第２表示を行う請求項１から３のいずれか一項に記載の視機能評価装置。
【請求項５】
前記明度感覚評価に応じた第１表示は、黒色の背景に黒色の第１パターンを表示する表示からなり、
前記明度感覚評価に応じた第２表示は、黒色の背景に前記第１パターンと同じ形状であって、前記第１パターンの明度よりも大きい明度である第２パターンを表示する表示からなり、
前記評価項目として前記明度感覚評価が選択された場合、前記表示制御部は、互いに等しい所定の明度からなる一連の前記第１表示及び前記第２表示を行った後、前記所定の明度とは異なる明度からなる一連の前記第１表示及び前記第２表示を行う請求項１から４のいずれか一項に記載の視機能評価装置。
【発明の詳細な説明】
【技術分野】
【０００１】
本発明は、ユーザの視機能を評価する視機能評価装置に関する。
【背景技術】
【０００２】
視覚情報は、人が日常生活を円滑に送るために欠かすことができない情報である。例えば人間の五感における知覚の割合は視覚が８３％を占めると言われ、聴覚は１１％、嗅覚は３．５％、触覚は１．５％、味覚は１．０％であると言われている。この結果から、人が周囲の状況を正確に認知し、適切な行動へ繋げていくためには、視覚情報を利用することが最も効率が良いと考えられる。一方、近年、テレビやコンピュータ等、視覚に依る情報呈示を行う機器が普及している。加えて、視覚情報を頼りにタッチパネル操作を要求するスマートフォンや券売機等の導入も進んでいる。このような状況から、現代社会は視覚情報に強く依存した社会であるといえる。
【０００３】
一方、現代人は視機能が低下しているとも言われている。例えば、視力については、視力１．０以下の高校生の割合は１９７９年時点で約５３％であったものが、２０１４年時点では約６４％へと増加している（文部科学省調べ）。また、主に４５歳以上の人において焦点の調節力が衰えた人の割合は２０１４年時点で全人口の５１％を占め、１９７０年時点から約２倍に増加している。上記の通り、現代社会では視覚に依存する場面が多いため、視機能の低下は日常生活に支障をきたす恐れがある。そこで、人夫々の視機能を正確に評価する技術が検討されてきた（例えば特許文献１−３）。
【０００４】
特許文献１には、被験者に色覚検査用指標を提示し、視認した指標を答えさせることにより、被験者の色覚が異常であるか否かを自動的に判定する自動視機能検査装置が開示されている。特許文献２には、視力検査、視野検査、及び色覚検査の検査を一度に行うことができる視機能評価装置が開示されている。特許文献３には、両眼を開放した状態で、且つ、視野を制限しない日常の見え方に近い状態で複数の視機能検査を行うことができる視機能検査装置が開示されている。
【先行技術文献】
【特許文献】
【０００５】
【特許文献１】特開２００６−５５２０２号公報
【特許文献２】特開２００９−２４０６３８号公報
【特許文献３】特開２０１２−４０４３０号公報
【発明の概要】
【発明が解決しようとする課題】
【０００６】
特許文献１−３に記載の技術は、視覚刺激が知覚できた際に、ユーザによるスイッチ操作或いはキーボード操作を行うことを必要とする。このため、視覚刺激の知覚閾値近傍にあっては、ユーザの主観が入ることがあり、検査の正確性が保証できなくなることがある。具体的には、視覚刺激を正しく知覚出来た際の回答と、知覚が曖昧なのにも関わらず行われた回答とを区別することができない。
【０００７】
そこで、視機能を客観的に評価することが可能な視機能評価装置が求められる。
【課題を解決するための手段】
【０００８】
本発明に係る視機能評価装置の特徴構成は、色覚評価、視力評価、コントラスト感度評価、明度感覚評価のうちの１つを評価項目として選択する選択部と、前記選択部により選択された評価項目に応じたパターンを表示画面に表示する第１表示と前記評価項目に応じた前記第１表示の前記パターンと異なるパターンを表示画面に表示する第２表示とを交互に行う表示制御部と、前記表示画面を見たユーザの脳波を、前記ユーザの頭部に付設した検出電極により電気信号として取得する脳波信号取得部と、前記脳波信号取得部により取得された電気信号を周波数解析により解析する解析部と、前記解析部による解析結果に基づいて前記ユーザにおける選択された前記評価項目についての視機能を評価する評価部と、を備えている点にある。
【０００９】
このような特徴構成とすれば、単一の評価装置により複数の視機能の評価を行うことができ、脳波信号としてユーザの主観的な知覚応答を受動計測することが可能となる。このため、評価結果を客観的に取得することができ、更にはユーザによる回答動作を不要とすることが可能となる。したがって、従来の評価装置に比べ、ユーザにとって身体的・心理的負担を軽減することができ、客観的に視機能を評価することが可能となる。また、解析部が例えば脳波信号に基づく定常性視覚誘発電位を用いて解析することにより、単に第１パターン及び第２パターンが見えているか否かだけでなく、第１パターン及び第２パターンがどの程度、見えているかまで評価することができる。したがって、視機能毎に弁別の度合い（程度）をも評価することが可能となる。
【００１０】
また、前記色覚評価に応じた第１表示は、灰色基調の第１パターンと前記第１パターンとは異なる灰色基調の第２パターンとを前記表示画面に繰り返し表示する表示からなり、前記色覚評価に応じた第２表示は、赤色の第３パターンと緑色の第４パターンとを前記表示画面に繰り返し表示する表示と、青色の第３パターンと黄色の第４パターンとを前記表示画面に繰り返し表示する表示とからなると好適である。
【００１１】
このような構成とすれば、選択部において評価項目として色覚評価が選択された場合、表示画面に色覚評価に適した第１表示と第２表示とを表示し、ユーザに対して色覚評価に適した視覚刺激を行うことができる。したがって、客観的にユーザの色覚の評価を行うことが可能となる。
【００１２】
また、前記視力評価に応じた第１表示は、黒色及び白色が縞状に並んだ第１パターンと前記第１パターンの黒色及び白色を互いに反転させた第２パターンとを前記表示画面に繰り返し表示する表示からなり、前記視力評価に応じた第２表示は、赤色及び緑色が縞状に並んだ第３パターンと前記第３パターンの赤色及び緑色を互いに反転させた第４パターンとを前記表示画面に繰り返し表示する表示と、青色及び黄色が縞状に並んだ第３パターンと前記第３パターンの青色及び黄色を互いに反転させた第４パターンとを前記表示画面に繰り返し表示する表示とからなり、前記評価項目として前記視力評価が選択された場合、前記表示制御部は、互いに等しい所定の幅の縞のパターンからなる一連の前記第１表示及び前記第２表示を行った後、前記所定の幅とは異なる幅のパターンからなる一連の前記第１表示及び前記第２表示を行うと好適である。
【００１３】
このような構成とすれば、選択部において評価項目として視力評価が選択された場合、表示画面に視力評価に適した第１表示と第２表示とを表示し、ユーザに対して視力評価に適した視覚刺激を行うことができる。したがって、客観的にユーザの視力の評価を行うことが可能となる。
【００１４】
また、前記コントラスト感度評価に応じた第１表示は、黒色及び白色が縞状に並んだ第１パターンと前記第１パターンの黒色及び白色を互いに反転させた第２パターンとを前記表示画面に繰り返し表示する表示からなり、前記コントラスト感度評価に応じた第２表示は、赤色及び緑色が縞状に並んだ第３パターンと前記第３パターンの赤色及び緑色を互いに反転させた第４パターンとを前記表示画面に繰り返し表示する表示と、青色及び黄色が縞状に並んだ第３パターンと前記第３パターンの青色及び黄色を互いに反転させた第４パターンとを前記表示画面に繰り返し表示する表示とからなり、前記評価項目として前記コントラスト感度評価が選択された場合、前記表示制御部は、互いに等しい所定のコントラストからなる一連の前記第１表示及び前記第２表示を行った後、前記所定のコントラストとは異なるコントラストからなる一連の前記第１表示及び前記第２表示を行うと好適である。
【００１５】
このような構成とすれば、選択部において評価項目としてコントラスト感度評価が選択された場合、表示画面にコントラスト感度評価に適した第１表示と第２表示とを表示し、ユーザに対してコントラスト感度評価に適した視覚刺激を行うことができる。したがって、客観的にユーザのコントラスト感度の評価を行うことが可能となる。
【００１６】
また、前記明度感覚評価に応じた第１表示は、黒色の背景に黒色の第１パターンを表示する表示からなり、前記明度感覚評価に応じた第２表示は、黒色の背景に前記第１パターンと同じ形状であって、前記第１パターンの明度よりも大きい明度である第２パターンを表示する表示からなり、前記評価項目として前記明度感覚評価が選択された場合、前記表示制御部は、互いに等しい所定の明度からなる一連の前記第１表示及び前記第２表示を行った後、前記所定の明度とは異なる明度からなる一連の前記第１表示及び前記第２表示を行うと好適である。
【００１７】
このような構成とすれば、選択部において評価項目として明度感覚評価が選択された場合、表示画面に明度感覚評価に適した第１表示と第２表示とを表示し、ユーザに対して明度感覚評価に適した視覚刺激を行うことができる。したがって、客観的にユーザの明度感覚の評価を行うことが可能となる。
【図面の簡単な説明】
【００１８】
【図１】視機能評価装置の構成を示すブロック図である。
【図２】色覚評価に用いる第１表示を示す図である。
【図３】色覚評価に用いる第２表示を示す図である。
【図４】表示制御部による表示のフローを示す図である。
【図５】表示制御部による表示のフローを示す図である。
【図６】標準試行の表示形態を示す図である。
【図７】取得された電気信号の一例を示す図である。
【図８】周波数解析結果の一例を示す図である。
【図９】色覚評価の結果について示す図である。
【図１０】視力評価に用いる第１表示を示す図である。
【図１１】視力評価に用いる第２表示を示す図である。
【図１２】空間周波数を段階的に変更した第１表示及び第２表示を示す図である。
【図１３】視力評価の結果について示す図である。
【図１４】コントラスト感度評価に用いる第１表示を示す図である。
【図１５】コントラスト感度評価に用いる第２表示を示す図である。
【図１６】コントラストを段階的に変更した第１表示及び第２表示を示す図である。
【図１７】コントラスト感度評価の結果について示す図である。
【図１８】明度感覚評価に用いる第１表示及び第２表示を示す図である。
【図１９】明度を段階的に変更した第２表示を示す図である。
【図２０】明度感覚評価の結果について示す図である。
【図２１】複数の被験者から取得した色覚検査結果の分布図である。
【発明を実施するための形態】
【００１９】
本発明に係る視機能評価装置は、ユーザの視機能を客観的に評価する機能を備えて構成される。以下、本実施形態の視機能評価装置１について説明する。
【００２０】
図１は、視機能評価装置１の構成を模式的に示した図である。図１に示されるように、視機能評価装置１は、選択部１０、表示制御部２０、脳波信号取得部３０、解析部４０、評価部５０の各機能部を備えて構成され、これらの機能部は視機能の評価に係る処理を行うために、ＣＰＵを中核部材としてハードウェア又はソフトウェア或いはその両方で構築されている。
【００２１】
ここで、本実施形態では視機能とは、色覚、視力、コントラスト感度、明度感覚をいう。したがって、視機能評価装置１は、色覚評価、視力評価、コントラスト感度評価、明度感覚評価を行うことができるように構成されている。選択部１０は、色覚評価、視力評価、コントラスト感度評価、明度感覚評価のうちの１つを評価項目として選択する。選択部１０が選択する評価項目は、例えばユーザ３が選択部１０に対して所期の評価項目を入力し、この入力された評価項目を選択するように構成しても良いし、ユーザ３が図示しない入力装置を介して入力した評価項目を選択部１０が取得して選択するように構成しても良い。選択部１０により選択された評価項目は、後述する表示制御部２０、解析部４０、及び評価部５０に伝達される。これにより、各機能部が評価項目として何が選択されたかを特定することが可能となる。
【００２２】
表示制御部２０は、第１表示と第２表示とを交互に行う。第１表示及び第２表示は、視機能評価装置１がユーザ３の視機能の評価を行うために表示装置２によりユーザ３に見せる画像である。以下では、第１表示及び第２表示を区別する必要が無い場合には、第１表示及び第２表示を総称して「視覚オブジェクト」として説明する。第１表示とは、選択部１０により選択された評価項目に応じたパターンを表示装置２の表示画面Ｇに表示する表示である。第２表示とは、評価項目に応じた第１表示のパターンと異なるパターンを表示装置２の表示画面Ｇに表示する表示である。すなわち、視機能評価装置１において用いられる第１表示及び第２表示は選択部１０により選択された視機能の評価項目に適した表示であり、互いに異なるパターンで構成される。
【００２３】
図２には、色覚評価に応じた第１表示（色覚評価に用いられる第１表示）の一例が示される。この第１表示は、灰色基調の第１パターンと、当該第１パターンとは異なる灰色基調の第２パターンとを表示画面Ｇに繰り返し表示する表示である。第１パターン及び第２パターンは、大きさが見かけで１０度となるように設定され、形状はモザイクパッチ構造を有する円形で設定される。モザイクパッチ構造とは、円形状のパッチを複数配置して、一つの円形状を構成した構造である。各パッチの大きさは見かけで０．２度〜０．５度の範囲内でランダムに設定され、配置は互いのパッチが重ならないようにランダムに決定される。各パッチには、２０ｃｄ／ｍ２〜６０ｃｄ／ｍ２までの範囲に収まる輝度ノイズが加えられる。
【００２４】
灰色基調とは、灰色（Ｇｒａｙ）を基準として作成された色をいう。したがって、色名称をＲＧＢ値で示した場合に（１２８,１２８，１２８）に限らず、例えば（２２０，２２０，２２０）や、（２１１，２１１，２１１）や、（１９２，１９２，１９２）や、（１６９，１６９，１６９）や、（１２８，１２８，１２８）や、（１０５，１０５，１０５）等の色を用いて作成することも可能であることを意味する。
【００２５】
また、本実施形態では、第１表示の夫々の色の輝度は所定の範囲内で変化させて彩色されている。本実施形態では、パッチ毎に、基本色である（１８６,１８６，１８６）で規定される灰色から−２２．５、−１５、−７．５、７．５、１５、２２．５ｃｄ／ｍ２の内のいずれかの輝度逸脱が生じるように、明度の調整が行われる。どのパッチに輝度逸脱を行うかは、ランダムで決定される。したがって、本実施形態では、第１パターンと第２パターンとは異なるパターンで作成される。
【００２６】
図３には、色覚評価に応じた第２表示（色覚評価に用いられる第２表示）の一例が示される。この第２表示は、有彩色の第３パターンと第３パターンの有彩色とは異なる有彩色の第４パターンとを表示画面Ｇに繰り返し表示する表示である。有彩色とは、白色と黒色とを階調表示した際に表示される色以外の色である。本実施形態では、第２表示として２つの表示が利用される。一方の第２表示は、第３パターンの有彩色として赤色（Ｒｅｄ）が用いられ、第４パターンの有彩色として緑色（Ｇｒｅｅｎ）が用いられる。他方の第２表示は、第３パターンの有彩色として青色（Ｂｌｕｅ）が用いられ、第４パターンの有彩色として黄色（Ｙｅｌｌｏｗ）が用いられる。なお、有彩色の赤色（Ｒｅｄ）と緑色（Ｇｒｅｅｎ）は、共に色覚のＬ−Ｍ軸上の色であり、先天的赤−緑色覚異常者では弁別が困難な対である。有彩色の青色（Ｂｌｕｅ）と黄色（Ｙｅｌｌｏｗ）は、共に色覚のＳ−（Ｌ＋Ｍ）軸上の色であり、先天的青−黄色覚異常者では弁別が困難な対である。以下では、これらを区別する時には、赤色と緑色とが用いられる第２表示を「Ｒ−Ｇ系第２表示」として示し、青色と黄色とが用いられる第２表示を「Ｂ−Ｙ系第２表示」として示す。
【００２７】
このような第２表示における第３パターン及び第４パターンも、第１表示における第１パターン及び第２パターンと同様に、大きさが見かけで１０度となるように設定され、形状はモザイクパッチ構造を有する円形で設定される。各パッチの大きさは見かけで０．２度〜０．５度の範囲内でランダムに設定され、配置は互いのパッチが重ならないようにランダムに決定される。
【００２８】
また、本実施形態では、第２表示の夫々の色の輝度も所定の範囲内で変化させて彩色されている。本実施形態では、パッチ毎に、夫々のパターンの基本色（赤色、緑色、青色、黄色）から−２２．５、−１５、−７．５、７．５、１５、２２．５ｃｄ／ｍ２の内のいずれかの輝度逸脱が生じるように、明度の調整が行われる。どのパッチに輝度逸脱を行うかは、ランダムで決定される。
【００２９】
このような視覚オブジェクト（第１表示及び第２表示）は、下地（背景）を同じ色に統一すると好適である。本実施形態では、灰色で設定される。
【００３０】
図４及び図５には、視覚オブジェクトの表示に係るフローが示される。図４はメインルーチンであり、図５はサブルーチンである。また、図６にはサブルーチンにおける表示画面Ｇへの表示形態が示される。図４では、セッション１〜セッションＭまでの処理を示しているが、色覚評価に係るメインルーチンは、２つのセッション（セッション１〜セッション２）で構成される。ここで、視覚オブジェクトは、所定の周期で点滅して表示される。セッション１〜セッション２は、夫々、視覚オブジェクトの点滅周期（明滅周波数）が異なる。具体的には色覚評価においては、セッション１は周波数が３Ｈｚ、セッション２は周波数が４Ｈｚに設定されている。なお、視覚刺激全体の平均輝度は、全て４０ｃｄ／ｍ２とした。背景は無彩色で、４０ｃｄ／ｍ２の輝度とした。
【００３１】
各セッションは、３０回の標準試行で構成される。３０回の標準試行は、図６に示されるように、１０回の第１表示を表示する第１標準試行、１０回のＲ−Ｇ系第２表示を表示する第２標準試行、及び１０回のＢ−Ｙ系第２表示を表示する第３標準試行からなり、この時に表示画面Ｇを見たユーザ３の脳波が後述する脳波信号取得部３０により取得される。このような３０回の標準試行が実行される順序はランダムで設定される。
【００３２】
図５及び図６に示されるように、標準試行は、色順応期間表示、固視期間表示、刺激期間表示から構成される。色順応期間表示とは、表示画面Ｇには何も表示されず、ユーザ３の色覚を所定の色（例えば灰色）に順応させ、外乱の影響を打ち消すことを目的としたものである。この期間は２．５秒間設けられる。固視期間表示とは、表示画面Ｇに固視点（画面中央に表示される十字型のオブジェクト）を表示するものであり、ユーザ３に対して画面中央への注視を促すことを目的としたものである。この期間は０．５秒間設けられる。固視点は見かけで２度とし、黒色で作成される。刺激期間表示とは、固視点が表示されている表示画面Ｇの中央部に、上述した第１表示及び第２表示のいずれかを表示するものであり、この期間は５秒間設けられる。
【００３３】
図１に戻り、脳波信号取得部３０は、表示画面Ｇを見たユーザ３の脳波を、当該ユーザ３の頭部に付設した検出電極６０により電気信号として取得する。表示画面Ｇには、上述した第１表示と第２表示とが交互に表示される。表示画面Ｇを見たユーザ３の脳波とは、表示制御部２０により表示画面Ｇに表示された一連の第１表示及び第２表示を見た際のユーザ３の脳波をいう。本実施形態では、このような脳波を検出するために、検出電極６０がユーザ３の後頭部に付設される。本実施形態では、検出電極６０は、ユーザ３の後頭部における大脳視覚野の位置に相当する４箇所（国際１０−２０法によるＰＯＺ、ＯＺ、Ｏ１、Ｏ２）に付設される。視覚野とは、大脳皮質のうちで視覚に直接関係のある部分であり、後頭葉にある。検出電極６０は、ユーザ３が第１表示及び第２表示を見た際に視覚野から発せられる脳波を検出し易いように、後頭部に付設される。また、ユーザ３の耳朶にＧＮＤ電極６１とＲＥＦ電極６２も付設される。これらの検出電極６０は、ユーザ３の後頭部を後方から挟持する上面視がＵ字状のヘッドセットを用いると好適である。Ｕ字状の部分でユーザ３の頭部を挟み込むことにより、検出電極６０を容易にユーザ３の後頭部に付設することが可能となる。
【００３４】
ここで、脳波信号は信号の大きさが数μＶレベルである。そこで、信号処理を行い易くするために、脳波信号取得部３０により取得された脳波信号は生体アンプを用いて信号増幅される。増幅後の脳波信号は、所定のサンプリング周波数でアナログ−デジタル変換して記録される。このような脳波信号の取得及び処理は、表示制御部２０による表示と同期して行われる。
【００３５】
図７には、所定の１つのセッションにおいて取得された電気信号の一例が示される。図７に示される電気信号は、セッション毎に取得される。このような脳波信号取得部３０により取得された電気信号は解析部４０により周波数解析される。周波数解析としては、例えば公知のフーリエ変換を用いることが可能である。解析部４０により周波数分析が行われることで、図８に示されるような平均周波数−パワースペクトル密度波形が取得される。横軸は脳波信号の周波数、縦軸はパワースペクトル密度（PSD：Power spectral density）である。図８に示されるような信号は、定常性視覚誘発電位（SSVEP： Steady State Visual Evoked Potential）信号と称される。ここで、定常性視覚誘発電位信号は、図８に示されるように、第１表示、Ｒ−Ｇ系第２表示、Ｂ−Ｙ系第２表示の夫々について取得される。本実施形態では、定常性視覚誘発電位の第２次ハーモニクス周波数成分（視覚オブジェクトの明滅周波数の２倍にあたる周波数に現れる成分であり、以下では「２Ｆ成分」と称する）の振幅に基づいて判定される。その理由は、定常性視覚誘発電位の基底ハーモニクス周波数成分（明滅周波数と等しい周波数に現れる１Ｆ成分）と第ｎ次（ただしｎ≧３）ハーモニクス成分（４Ｆ成分、６Ｆ成分）とは、多くの場合２Ｆ成分よりも振幅が小さく、且つ、表示画面Ｇにおける表示を変更しても大きな変化は現れないためである。
【００３６】
評価部５０は、解析部４０による解析結果に基づいてユーザ３における選択された評価項目についての視機能を評価する。図９には、図８に示される定常性視覚誘発電位の２Ｆ成分に基づくユーザ３の色覚評価結果が示される。図９では、第１表示の定常性視覚誘発電位信号の値を１として、Ｒ−Ｇ系第２表示の定常性視覚誘発電位信号及びＢ−Ｙ系第２表示の定常性視覚誘発電位信号を規格化している。図９の例では、Ｒ−Ｇ系第２表示の定常性視覚誘発電位信号の強度が第１表示の定常性視覚誘発電位信号の強度に対して２．６倍程度であり、Ｂ−Ｙ系第２表示の定常性視覚誘発電位信号の強度が第１表示の定常性視覚誘発電位信号の強度に対して１．３倍程度ある。評価部５０は、無彩色の視覚刺激と比較して、有彩色の視覚刺激では有意な振幅の増大を確認できることから、このユーザ３は色の違いを知覚できると評価し、更には青色及び黄色よりも、赤色及び緑色の方が識別し易いと評価する。
【００３７】
次に、評価項目として視力評価が選択された場合の例について説明する。ここで、本実施形態における視力とは、様々な空間周波数をもった視覚刺激に対する知覚の程度を意味する。すなわち、従来の視力検査で露わにされる空間分解能としての視力よりも広義に解釈されるべきである。
【００３８】
図１０には、視力評価に応じた第１表示（視力評価に用いられる第１表示）の一例が示される。この第１表示は、黒色及び白色が縞状に並んだ第１パターンと第１パターンの黒色及び白色を互いに反転させた第２パターンとを表示画面Ｇに繰り返し表示する表示である。第１パターンの黒色及び白色を互いに反転させた第２パターンとは、第１パターンが黒色、白色、黒色、白色、・・・の順に並んでいるとすると、第２パターンは白色、黒色、白色、黒色、・・・の順に並んでいることをいう。これにより、第１表示は矩形波状に輝度変化を起こす縦縞グレーティング刺激とすることができる。以下では、この第１表示を「Ｂ−Ｗ系第１表示」として示す。
【００３９】
また、図１１には、視力評価に応じた第２表示（視力評価に用いられる第２表示）の一例が示される。この第２表示は、第３パターンと第４パターンとを表示画面Ｇに繰り返し表示する表示である。本実施形態では、第２表示として２つの表示が利用される。一方の第２表示は、赤色及び緑色が縞状に並んだ第３パターンと第３パターンの赤色及び緑色を互いに反転させた第４パターンとが用いられる。他方の第２表示は、青色及び黄色が縞状に並んだ第３パターンと第３パターンの青色及び黄色を互いに反転させた第４パターンとが用いられる。以下では、これらを区別する時には、赤色と緑色とが用いられる第２表示を「Ｒ−Ｇ系第２表示」として示し、青色と黄色とが用いられる第２表示を「Ｂ−Ｙ系第２表示」として示す。第１パターンと同様に、第３パターンの赤色及び緑色を互いに反転させた第４パターンとは、第３パターンが赤色、緑色、赤色、緑色、・・・の順に並んでいるとすると、第４パターンは緑色、赤色、緑色、赤色、・・・の順に並んでいることをいい、第３パターンの青色及び黄色を互いに反転させた第４パターンとは、第３パターンが青色、黄色、青色、黄色、・・・の順に並んでいるとすると、第４パターンは黄色、青色、黄色、青色、・・・の順に並んでいることをいう。これにより、第２表示は矩形波状に色度変化を起こす縦縞グレーティング刺激とすることができる。
【００４０】
評価項目として視力評価が選択された場合には、表示制御部２０は、互いに等しい所定の幅の縞のパターンからなる一連の第１表示及び第２表示を行った後、所定の幅とは異なる幅のパターンからなる一連の第１表示及び第２表示を行う。具体的には、第１パターンと第２パターンとの切り換え、及び第３パターンと第４パターンとの切り換えを行う周波数（明滅周波数）は、４Ｈｚに固定して行われ、視覚刺激全体の平均輝度は、全て４０ｃｄ／ｍ２とし、特にＲ−Ｇ系第２表示及びＢ−Ｙ系第２表示は等輝度刺激とした。第１パターン−第４パターンは、大きさが見かけで１０度となるように設定され、背景は無彩色で４０ｃｄ／ｍ２の輝度とした。各セッションでは、夫々、視覚刺激の空間周波数を１、２、３、４、５、６、１０、１５、３０ｃｐｄ（cycles per degree）に固定した。上述した「一連の第１表示及び第２表示」とは、所定の空間周波数により第１表示及び第２表示を行った後、当該所定の空間周波数とは異なる周波数により第１表示及び第２表示を行うことを言う。本実施形態の視力評価では上記空間周波数に対応した９セッションで行われる。また、本視力評価でも、色覚評価と同様に、各セッションは、色順応期間表示（２．５秒）、固視期間表示（０．５秒）、刺激期間表示（５秒）で構成され、色順応期間表示−固視期間表示−刺激期間表示の一連の試行が１０回ずつ行われた。なお、ｃｐｄとは、１視度あたりの縞構造の繰り返し回数を表す値である。
【００４１】
図１２には、空間周波数が、１、３、５、３０ｃｐｄ（cycles per degree）の場合の第１パターン、及び第３パターンの一例が示される。なお、従来の視力検査で広く用いられるランドルト環とは形状が異なるため厳密に比較はできないが、縞の大きさとギャップの大きさの一致度から空間周波数３０ｃｐｄの視覚刺激が視力１．０のランドルト環に相当する空間解像度に相当し、空間周波数３ｃｐｄの視覚刺激が視力０．１のランドルト環に相当する。
【００４２】
図１３には、視力評価結果の一例が示される。縦軸は、Ｂ−Ｗ系視覚刺激（第１表示による視覚刺激）によって惹起された定常性視覚誘発電位信号の振幅の極大値を基準として規格化した定常性視覚誘発電位信号の振幅に相当する。横軸は呈示した視覚刺激の空間周波数である。図１３では、夫々、定常性視覚誘発電位信号の２Ｆ成分の平均振幅変化を示している。なお、計測信号のノイズレベルが破線で示される。図１３の結果より、定常性視覚誘発電位信号の振幅を観察できた閾値は、Ｂ−Ｗ系視覚刺激（第１表示による視覚刺激）に対しては空間周波数３０ｃｐｄ、Ｒ−Ｇ系視覚刺激（Ｒ−Ｇ系第２表示による視覚刺激）に対しては１５ｃｐｄ、Ｂ−Ｙ系視覚刺激（Ｂ−Ｙ系第２表示による視覚刺激）に対しては６ｃｐｄであり、定常性視覚誘発電位信号の振幅の極大値はＢ−Ｗ系視覚刺激、Ｒ−Ｇ系視覚刺激、Ｂ−Ｙ系視覚刺激の順で大きいことがわかる。Ｂ−Ｗ系視覚刺激及びＲ−Ｇ系視覚刺激に対する定常性視覚誘発電位信号の振幅の極大値は空間周波数４ｃｐｄで現れ、Ｂ−Ｙ系視覚刺激に対する定常性視覚誘発電位信号の振幅の極大値は空間周波数３ｃｐｄで現れた。
【００４３】
以上より、見かけで０．１６７−０．１２５度の線（空間周波数３−４ｃｐｄの縞幅に相当）が最も良く空間解像を行うことができ、色度より、輝度を手掛かりにした方が良く空間解像ができ、Ｂ−Ｙ系視覚刺激よりＲ−Ｇ系視覚刺激を手掛かりにした方が良く空間解像できることを示している。
【００４４】
次に、評価項目としてコントラスト感度評価が選択された場合の例について説明する。図１４には、コントラスト感度評価に応じた第１表示（コントラスト感度評価に用いられる第１表示）の一例が示される。この第１表示は、黒色及び白色が縞状に並んだ第１パターンと第１パターンの黒色及び白色を互いに反転させた第２パターンとを表示画面Ｇに繰り返し表示する表示である。第１パターンの黒色及び白色を互いに反転させた第２パターンとは、第１パターンが黒色、白色、黒色、白色、・・・の順に並んでいるとすると、第２パターンは白色、黒色、白色、黒色、・・・の順に並んでいることをいう。これにより、第１表示は矩形波状に輝度変化を起こす縦縞グレーティング刺激とすることができる。なお、以下では、この第１表示を「Ｂ−Ｗ系第１表示」として示す。
【００４５】
また、図１５には、コントラスト感度評価に応じた第２表示（コントラスト感度評価に用いられる第２表示）の一例が示される。この第２表示は、第３パターンと第４パターンとを表示画面Ｇに繰り返し表示する表示である。本実施形態では、第２表示として２つの表示が利用される。一方の第２表示は、赤色及び緑色が縞状に並んだ第３パターンと第３パターンの赤色及び緑色を互いに反転させた第４パターンとが用いられる。他方の第２表示は、青色及び黄色が縞状に並んだ第３パターンと第３パターンの青色及び黄色を互いに反転させた第４パターンとが用いられる。以下では、これらを区別する時には、赤色と緑色とが用いられる第２表示を「Ｒ−Ｇ系第２表示」として示し、青色と黄色とが用いられる第２表示を「Ｂ−Ｙ系第２表示」として示す。第１パターンと同様に、第３パターンの赤色及び緑色を互いに反転させた第４パターンとは、第３パターンが赤色、緑色、赤色、緑色、・・・の順に並んでいるとすると、第４パターンは緑色、赤色、緑色、赤色、・・・の順に並んでいることをいい、第３パターンの青色及び黄色を互いに反転させた第４パターンとは、第３パターンが青色、黄色、青色、黄色、・・・の順に並んでいるとすると、第４パターンは黄色、青色、黄色、青色、・・・の順に並んでいることをいう。これにより、第２表示は矩形波状に色度変化を起こす縦縞グレーティング刺激とすることができる。
【００４６】
評価項目としてコントラスト感度評価が選択された場合、表示制御部２０は、互いに等しい所定のコントラストからなる一連の第１表示及び第２表示を行った後、所定のコントラストとは異なるコントラストからなる一連の第１表示及び第２表示を行う。具体的には、視覚刺激の空間周波数は４ｃｐｄに固定し、第１パターンと第２パターンとの切り換え、及び第３パターンと第４パターンとの切り換えを行う周波数（明滅周波数）は４Ｈｚに固定して行われた。視覚刺激全体の平均輝度は、全て４０ｃｄ／ｍ２とし、特にＲ−Ｇ系第２表示及びＢ−Ｙ系第２表示は等輝度刺激とした。第１パターン−第４パターンは、大きさが見かけで１０度となるように設定され、背景は無彩色で４０ｃｄ／ｍ２の輝度とした。上述した「一連の第１表示及び第２表示」とは、所定のコントラストからなる第１表示及び第２表示を行った後、当該所定のコントラストとは異なるコントラストからなる周波数により第１表示及び第２表示を行うことを言う。本実施形態のコントラスト感度評価は９つのセッションで行われ、各セッションは、色順応期間表示（２．５秒）、固視期間表示（０．５秒）、刺激期間表示（５秒）で構成され、色順応期間表示−固視期間表示−刺激期間表示の一連の試行が１０回ずつ行われた。コントラスト感度評価では、セッションが変わる毎に、第１表示及び第２表示はコントラストを変化させて表示される。具体的には、視覚刺激のコントラスト値がセッションごとに５％、１０％、２０％、３０％、４０％、５０％、６０％、８０％、１００％に代えて行われた。図１６には、コントラスト値が、１０％、４０％、８０％、１００％の例を示している。
【００４７】
図１７には、コントラスト感度評価結果の一例が示される。縦軸は、Ｂ−Ｗ系視覚刺激（第１表示による視覚刺激）によって惹起された定常性視覚誘発電位信号の振幅の極大値を基準として規格化した定常性視覚誘発電位信号の振幅に相当する。横軸は呈示した視覚刺激のコントラスト値である。図１７では、夫々、定常性視覚誘発電位信号の２Ｆ成分の平均振幅変化を示している。なお、計測信号のノイズレベルが破線で示される。図１７に示されるように、夫々の結果は近似直線となる。いずれもコントラスト値の上昇に伴い、定常性視覚誘発電位信号の振幅値が大きくなり、Ｂ−Ｗ系視覚刺激（第１表示による視覚刺激）とＲ−Ｇ系視覚刺激（Ｒ−Ｇ系第２表示による視覚刺激）のコントラスト値に対する振幅変化は略等しいものであった。コントラスト値が１００％である場合には、正規化した定常性視覚誘発電位信号の振幅値が略１となった。Ｂ−Ｙ系視覚刺激（Ｂ−Ｙ系第２表示による視覚刺激）のコントラスト値に対する振幅変化は、他の視覚刺激よりも小さく、コントラスト値が１００％の場合でも正規化した定常性視覚誘発電位信号の振幅値は０．２２までしか大きくならなかった。
【００４８】
以上より、ユーザ３のコントラスト感度は、コントラストが大きい程、良いと評価することができる。輝度と赤色−緑色のコントラストは同等レベルで鋭敏であるが、青色−黄色のコントラストについては１／５程度の感度しかないと評価できる。
【００４９】
次に、評価項目として明度感覚評価が選択された場合の例について説明する。ここで、本実施形態における明度感覚とは、所定の輝度有する光（照明等の光源の光でも物体からの反射光でも良い）を知覚した場合に感じる主観的な明るさを意味する。
【００５０】
図１８には、明度感覚評価に応じた第１表示及び第２表示（明度感覚評価に用いられる第１表示及び第２表示）の一例が示される。第１表示は、黒色の背景に黒色の第１パターンを表示する表示である。本実施形態では、第１パターンは円形状のパターンである。第１表示にあっては、背景と第１パターンとが同じ黒色で構成される。したがって、第１表示は黒ベタの表示となる。一方、第２表示は、黒色の背景に第１パターンと同じ形状であって、第１パターンの明度よりも大きい明度である第２パターンを表示する表示である。すなわち、第２パターンは、第１パターンと同じ形状であって、明るい色で彩色された円形状のパターンである。
【００５１】
評価項目として明度感覚評価が選択された場合、表示制御部２０は、互いに等しい所定の明度からなる一連の第１表示及び第２表示を行った後、所定の明度とは異なる明度からなる一連の第１表示及び前記第２表示を行う。具体的には、本実施形態では、輝度の変化は矩形波的に行い、第１表示と第２表示との切り換えを行う周波数（明滅周波数）は１０Ｈｚに固定して行われた。また、背景輝度は０ｃｄ／ｍ２とした。上述した「一連の第１表示及び第２表示」とは、所定の明度からなる第１表示及び第２表示を行った後、当該所定の明度とは異なる明度からなる周波数により第１表示及び第２表示を行うことを言う。本実施形態の明度感覚評価は１３のセッションで行われ、夫々のセッションでは、第２表示の明度を段階的に変化させて表示して行い、いずれかの輝度変化量を持った視覚刺激を１つだけ提示した。具体的には、各セッションでは第２表示に係る視覚刺激の輝度を、図１９に示されるように、１、３、６、１２、２４、３６、４８、６０、７２、８４、９６、１０８、１２０ｃｄ／ｍ２のいずれかを用いて行われた。
【００５２】
図２０には、明度感覚評価結果の一例が示される。縦軸は、第１パターン及び第２パターンのよって惹起された定常性視覚誘発電位信号の振幅の極大値を基準として規格化した定常性視覚誘発電位信号の振幅に相当する。横軸は呈示した視覚刺激の輝度変化量である。図２０では、夫々、定常性視覚誘発電位信号の１Ｆ成分の平均振幅を示している。なお、計測信号のノイズレベルが破線で示される。図２０に示されるように、輝度変化量が１から７２ｃｄ／ｍ２までの間では漸増し、輝度変化量が７２ｃｄ／ｍ２又は８４ｃｄ／ｍ２である時に定常性視覚誘発電位信号の振幅が極大となっている。また、輝度変化量が８４から１２０ｃｄ／ｍ２までの間では漸減している。
【００５３】
以上より、ユーザ３のダイナミックレンジは約７０ｃｄ／ｍ２であることが判り、約７０ｃｄ／ｍ２以上では輝度変化量が大きすぎる（眩しすぎる）と感じると評価できる。
【００５４】
上記のように、本視機能評価装置１によれば、ある個人の視機能について客観的に検査できる。特に、従来の検査装置にあっては”見える／見えない”の択一的な結果であったが、本視機能評価装置１によれば、”見える／見えない”の中間にあたる”どれだけ見えているか”ということまで評価することが可能となる。
【００５５】
なお、上記実施形態で挙げたデータ（視機能データ）は一個人のものであったが、実際には視機能が正常か否かを評価（診断）するには集団の視機能データを取得し、これらの視機能データの平均との差異に基づき判定すると好適である。図２１は、４０名弱の被験者から取得した色覚評価の結果を同一散布図内に示したものである。眼病罹患者や先天的色覚異常者から取得された結果は色覚正常者の平均から大きく逸脱して分布している。図２１においては、平均との差異が大きい程（平均から離れている程）、色覚正常者の平均的な色の見え方から乖離していることを意味する。特に、ゼロ値に近い程、色の弁別が悪いことを示している。このような解析により、ある個人の視機能が”どれだけ正常か否か”を定量的に評価することが可能となる。
【００５６】
〔その他の実施形態〕
上記実施形態では、色覚評価に応じた第１表示は、共に灰色基調の第１パターンと第１パターンとは異なる第２パターンとを表示画面Ｇに繰り返し表示する表示からなり、色覚評価に応じた第２表示は、赤色の第３パターンと緑色の第４パターンとを表示画面Ｇに繰り返し表示する表示と、青色の第３パターンと黄色の第４パターンとを表示画面Ｇに繰り返し表示する表示とからなるとして説明したが、色覚評価に応じた第１表示及び第２表示は夫々上記以外のパターンを用いて構成することが可能である。
【００５７】
上記実施形態では、視力評価に応じた第１表示は、黒色及び白色が縞状に並んだ第１パターンと第１パターンの黒色及び白色を互いに反転させた第２パターンとを表示画面Ｇに繰り返し表示する表示からなり、視力評価に応じた第２表示は、赤色及び緑色が縞状に並んだ第３パターンと第３パターンの赤色及び緑色を互いに反転させた第４パターンとを表示画面Ｇに繰り返し表示する表示と、青色及び黄色が縞状に並んだ第３パターンと第３パターンの青色及び黄色を互いに反転させた第４パターンとを表示画面Ｇに繰り返し表示する表示とからなるとして説明したが、視力評価に応じた第１表示及び第２表示は夫々上記以外のパターンを用いて構成することが可能である。
【００５８】
上記実施形態では、コントラスト感度評価に応じた第１表示は、黒色及び白色が縞状に並んだ第１パターンと第１パターンの黒色及び白色を互いに反転させた第２パターンとを表示画面Ｇに繰り返し表示する表示からなり、コントラスト感度評価に応じた第２表示は、赤色及び緑色が縞状に並んだ第３パターンと第３パターンの赤色及び緑色を互いに反転させた第４パターンとを表示画面Ｇに繰り返し表示する表示と、青色及び黄色が縞状に並んだ第３パターンと第３パターンの青色及び黄色を互いに反転させた第４パターンとを表示画面Ｇに繰り返し表示する表示とからなるとして説明したが、コントラスト感度評価に応じた第１表示及び第２表示は夫々上記以外のパターンを用いて構成することが可能である。
【００５９】
上記実施形態では、明度感覚評価に応じた第１表示は、黒色の背景に黒色の第１パターンを表示する表示からなり、明度感覚評価に応じた第２表示は、黒色の背景に第１パターンと同じ形状であって、第１パターンの明度よりも大きい明度である第２パターンを表示する表示からなるとして説明したが、明度感覚評価に応じた第１表示及び第２表示は夫々上記以外のパターンを用いて構成することが可能である。
【００６０】
本発明は、ユーザの視機能を評価する視機能評価装置に用いることが可能である。
【符号の説明】
【００６１】
１：視機能評価装置
３：ユーザ
１０：選択部
２０：表示制御部
３０：脳波信号取得部
４０：解析部
５０：評価部
６０：検出電極
Ｇ：表示画面
【図１】
2019017853.tif 000003
【図２】
2019017853.tif 000004
【図３】
2019017853.tif 000005
【図４】
2019017853.tif 000006
【図５】
2019017853.tif 000007
【図６】
2019017853.tif 000008
【図７】
2019017853.tif 000009
【図８】
2019017853.tif 000010
【図９】
2019017853.tif 000011
【図１０】
2019017853.tif 000012
【図１１】
2019017853.tif 000013
【図１２】
2019017853.tif 000014
【図１３】
2019017853.tif 000015
【図１４】
2019017853.tif 000016
【図１５】
2019017853.tif 000017
【図１６】
2019017853.tif 000018
【図１７】
2019017853.tif 000019
【図１８】
2019017853.tif 000020
【図１９】
2019017853.tif 000021
【図２０】
2019017853.tif 000022
【図２１】
2019017853.tif 000023